(57)【要約】【課題】取付・調整が容易であり、しかもレンズを光軸方向のみならず光軸に直交する方向にも精度良く位置決めできるレンズの保持装置を提供する。【解決手段】台座２０に形成された、光軸方向の高さが異なるボス２０ｂ〜２０ｄに、アーム１２を当接させることで、レンズＬ１，Ｌ２の光軸方向の位置決めを行えるため、広範な調整を行える。更に、アーム１２に形成された開口１２ｂと、台座２０に形成された突起２０ｆ〜２０ｈのいずれかに係合させることで、レンズＬ１，Ｌ２の光軸の位置決めを行えるので、適切な位置に被写体像を結像させることができる。【選択図】　　図３
2004077573.tif 000002
【特許請求の範囲】
【請求項１】
レンズを保持する保持枠と、
前記保持枠を取り付けられる台座と、を有し、
前記保持枠と前記台座の一方に形成された、前記レンズの光軸方向の高さが異なるステップに、前記保持枠と前記台座の他方を当接させることで、前記レンズの光軸方向の位置決めを行え、
前記保持枠に形成された凹部又は凸部と、前記台座に形成された凸部又は凹部に係合させることで、前記レンズの光軸の位置決めを行えるようになっていることを特徴とするレンズの保持装置。
【請求項２】
前記保持枠はアームを有し、前記アームは、前記台座の前記ステップのいずれかに当接された状態で固定されることを特徴とする請求項１に記載のレンズの保持装置。
【請求項３】
前記アームは、前記台座にネジ止めされることを特徴とする請求項２に記載のレンズの保持装置。
【請求項４】
前記アームは、前記台座に接着剤で固定されることを特徴とする請求項２又は３に記載のレンズの保持装置。
【請求項５】
前記アームは、前記凹部又は前記凸部を形成していることを特徴とする請求項２乃至４のいずれかに記載のレンズの保持装置。
【請求項６】
前記アームは２本以上設けられていることを特徴とする請求項２乃至５のいずれかに記載のレンズの保持装置。
【請求項７】
前記レンズは、前記保持枠に対して光軸方向位置調整可能に保持されていることを特徴とする請求項１乃至６のいずれかに記載のレンズの保持装置。
【請求項８】
請求項１乃至７のいずれかに記載のレンズの保持装置を備えたことを特徴とするカメラ。
【発明の詳細な説明】
【０００１】
【発明の属する技術分野】
本発明は、例えば簡素なカメラなどに好適なレンズの保持装置及びカメラに関する。
【０００２】
【従来の技術】
例えば銀塩カメラにおいては、フィルム面に被写体像を良好に結像できる（すなわちピントが合う）よう、フィルム面とレンズとの間隔を、そのレンズの焦点距離に合わせて精度良く設定する必要がある。又、近年開発されたデジタルカメラにおいては、ＣＣＤ等の撮像素子の受光面に被写体像を良好に結像できるよう、撮像素子とレンズとの間隔を、そのレンズの焦点距離に合わせて精度良く設定する必要がある。
【０００３】
銀塩カメラを例にとると、調整に頼らず各部品を組み付けるだけで、フィルム面とレンズとを、そのレンズの焦点距離に合わせて精度よく位置決めするには、それら部品の精度を極めて高く維持しなくてはならず、コスト的に問題がある。そこで、レンズをカメラに組み付けた際に、レンズの位置を光軸方向に調整する調整機構を設けることが行われている。しかるに、従来の調整機構においては、レンズを保持した保持枠を、台座に対してねじ込み可能とし、かかる台座をカメラ本体に取り付けた際に、保持枠のねじ込み量を調整することで、フィルム面に対するレンズの光軸方向の位置決めを行うようにしていた。又、レンズの光軸方向の位置が決まったとき、接着剤を用いて保持枠を台座に固定していた。
【０００４】
【発明を解決しようとする課題】
ところが、このように台座に対する保持枠のねじ込み量を調整することで、レンズの光軸方向の位置決めを行う手法だと、レンズの光軸方向位置が定まるまで、保持枠を回転し続けなくてはならず、調整に手間と時間がかかる。特に、レンズのロットによっては、組み付け時にピントの許容範囲の上限もしくは下限に近いものが多数製造されることもあり、その場合、ねじ込み量が最大近くなるケースが増大するため、余計に手間と時間がかかる。また、接着剤を用いて保持枠を台座に固定するという手法では、誤って接着した場合に、その部品が使用不能となる恐れがあり、又、熱や経時劣化により接着剤の剥がれなども生じる恐れがある。
【０００５】
このような問題に対して、実開平５−１６１２５号には、レンズのフランジ部に突起を設け、かかる突起をレンズ受け部材の高さが異なる段差のいずれかに当接させることで、レンズの光軸方向の位置決めを可能とする技術が開示されている。しかし、かかる技術によれば、レンズに精度良く突起を設けなくてはならず、レンズの成形が困難となり、又かかる突起が段差上で動き得るため、レンズの光軸がずれやすいという別な問題がある。
【０００６】
本発明は、かかる従来技術の問題点に鑑みてなされたものであり、取付・調整が容易であり、しかもレンズを光軸方向のみならず光軸に直交する方向にも精度良く位置決めできるレンズの保持装置を提供することを目的とする。
【０００７】
【課題を解決するための手段】
本発明のレンズの保持装置は、レンズを保持する保持枠と、前記保持枠を取り付けられる台座と、を有し、前記保持枠と前記台座の一方に形成された、前記レンズの光軸方向の高さが異なるステップに、前記保持枠と前記台座の他方を当接させることで、前記レンズの光軸方向の位置決めを行えるため、前記ステップのいずれかを選択することで、広範な調整を行える。かかる調整は無段階に行うことはできないが、カメラにおいては被写界深度が存在するため、レンズの焦点距離に必ずしも合致しなくても、被写体画像がぼけることを回避できる。更に、前記保持枠に形成された凹部又は凸部と、前記台座に形成された凸部又は凹部に係合させることで、前記レンズの光軸の位置決めを行えるので、適切な位置に被写体像を結像させることができる。
【０００８】
更に、前記保持枠はアームを有し、前記アームは、前記台座の前記ステップのいずれかに当接された状態で固定されると、取り付けやすいので好ましい。
【０００９】
又、前記アームは、前記台座にネジ止めされると、経時劣化が少なく好ましい。
【００１０】
但し、接着剤の経時劣化を考慮しネジ止めと併用するなどの処置をとれば、前記アームは、前記台座に接着剤で固定されることも可能である。
【００１１】
更に、前記アームが、前記凹部又は前記凸部を形成していると、光軸から離れた位置において前記台座の前記凸部又は前記凹部に係合することで、前記レンズの光軸ズレを抑制しやすい。
【００１２】
又、前記アームは２本以上設けられていると、レンズの光軸ズレを抑えやすいので好ましい。
【００１３】
更に、前記レンズは、前記保持枠に対して光軸方向位置調整可能に保持されていると、より精度良く光軸調整が可能となるので好ましい。このような保持機構としては、レンズに形成した雄ネジを、保持枠に形成した雌ネジに係合させるものが考えられるが、これに限られないことはいうまでもない。
【００１４】
以上のレンズの保持装置をカメラに備えると、低コストなカメラを提供できる。
【００１５】
【発明の実施の形態】
以下、本発明を図面を参照して詳細に説明する。
図１は、本実施の形態にかかるレンズ保持装置の正面図であり、保持枠を台座に取り付ける位置を変えた状態をそれぞれ（ａ）〜（ｃ）に示している。図２は、台座の下面図である。図３は、かかるレンズ保持装置を、カメラに設置した状態でレンズの光軸方向に切断した断面図であるが、上下で取り付け位置を変えており、光軸方向寸法は誇張して描いている。
【００１６】
レンズ保持装置は、保持枠１０と、台座２０とを有している。図３に示すように、保持枠１０は、レンズＬ１，Ｌ２を内包した円筒状の本体１１と、本体１１から１８０度位相で光軸直交方向に延在する一対のアーム１２を有している。
【００１７】
各アーム１２は、末端側に固定用孔１２ａを有し、それより内側に係合用孔１２ｂを形成している。台座２０は、図３に示すように、結像光を透過する開口２０ａを備えた板状である。かかる台座２０には、開口２０ａの中心（光軸に略一致）から等距離に、図２に示すごとく、光軸方向高さが高い高ボス２０ｂ、光軸方向高さがボス２０ｂより低い中ボス２０ｃ、光軸方向高さが中ボス２０ｃより低いボス２０ｄが、それぞれ一対形成されている。端面がステップを構成するボス２０ｂ〜２０ｄには、それぞれネジ孔２０ｅが形成されている。又、ボス２０ｂ〜２０ｄに隣接して、係合用の突起２０ｆ〜２０ｈが形成されている。台座２０は、図１に示す孔２０ｉ，２０ｊに挿通した不図示のネジを用いて、図３に一点鎖線で示すカメラボディＢに取り付けられている。
【００１８】
レンズ保持装置の組み付け方について説明する。まず、レンズＬ１，Ｌ２を保持枠１０に組み込む。射出成形で得られるレンズの形状等は、ロット毎に変化することが多いことが知られている。そこで、ロットが変わった場合において、最初のレンズＬ１，Ｌ２を保持枠１０に組み込んだとき、結像位置のチェックを行う。より具体的には、例えば光軸方向高さが中間の中ボス２０ｃに、保持枠１０のアーム１２を当接させ、ネジ１３を固定用孔１２ａに挿通させて、中ボス２０ｃのネジ孔２０ｅに螺合させ両者を固定する（図１（ｂ）参照）。この際、係合用の突起（凸部）２０ｇが、アーム１２の係合用孔（凹部）１２ｂに係合するので、レンズＬ１，Ｌ２の光軸ズレが抑制される。係合用孔１２ｂは、アーム１２に形成することで光軸から離すことができ、それによりレンズＬ１，２の光軸ズレを抑制する効果が高くなるが、本体１１に係合用孔を形成しても良い。
【００１９】
かかる状態で、レンズＬ１、Ｌ２に平行光を入射させ、図３に示すフィルム面（デジタルスチルカメラなら撮像素子の受光面）Ｆの結像状態を観察することで、レンズＬ１，Ｌ２の光軸方向位置が適切か否か判断する。前ピン状態であれば、アーム１２を中ボス２０ｃから取り外し、高ボス２０ｂに、上述と同様にして取り付ける（図１（ｃ）、図３の上部参照）。一方、後ピン状態であれば、アーム１２を中ボス２０ｃから取り外し、低ボス２０ｄに、上述と同様にして取り付ける（図１（ａ）、図３の下部参照）。アーム１２を取り付けるボスが決定したら、ネジ１３に接着剤を塗布してネジ止めしても良い。尚、同ロット内では、レンズの形状が均一であるからピントズレが生じる可能性は低いため、後は抜き出し検査をすれば足りる。
【００２０】
本実施の形態ではボスが３種類しかないため、いずれを選んでもフィルム面Ｆに対して理想的な結像状態を得られない可能性もあるが、被写界深度を利用することで、実際の撮影においては殆ど支障が生じることない。但し、ボスを４種以上設けることは任意である。
【００２１】
図４は、あるロットにおけるレンズのピントのバラツキ例を示す図である。横軸に被写体位置に対するピントズレの度合いをとったとき、基準値（ある被写体位置に対してピントがあった状態）に対して、実際のレンズのピントは、成形精度や組付精度に応じて、図４に示すようにばらつくことになる。ここで、アーム１２を中ボス２０ｃのみに当接させると仮定すると、被写界深度を加味した許容範囲を基準値±Ｌとした場合、それを超えるレンズ（図４でハッチングＡ，Ｂで示すレンズ）は廃棄処分にされることになる。これに対し、本実施の形態によれば、中ボス２０ｃに対して所定の高さだけ高い高ボス２０ｂにアーム１２を当接させネジ止め固定することで、ピントズレの許容範囲を図４でＣの領域にシフトすることができ、それによりハッチングＡに含まれるレンズを製品に用いることができる。一方、中ボス２０ｃに対して所定の高さだけ低い低ボス２０ｄにアーム１２を当接させネジ止め固定することで、ピントズレの許容範囲を図４でＤの領域にシフトすることができ、それによりハッチングＢに含まれるレンズを製品に用いることができる。以上より、レンズの歩留まりが向上し、より低コストなカメラを提供できる。尚、図４に示す例では、高ボス２０ｂを用いた場合のピントズレの許容範囲領域Ｃと、低ボス２０ｄを用いた場合のピントズレの許容範囲領域Ｄとが接するようになっているが、これに限ることなく領域Ｃ、Ｄを離しても良く、特に、各ボス２０ｂ〜２０ｄを用いた場合の各ピントズレの許容範囲領域が互いに接するようになっていると、広範囲のピントズレに対応できるので望ましい。
【００２２】
以上、本発明を実施の形態を参照して説明してきたが、本発明は上記実施の形態に限定して解釈されるべきではなく、適宜変更・改良が可能であることはもちろんである。例えばアーム１２は、２本でなく３本以上でも良く、かかる場合、アームをなるべく等間隔にした方が、バランス良く抑えることができる。又、本実施の形態では台座２０側にボス２０ｂ〜２０ｄを形成したが、アーム１２側にボスを形成しても良い。更に、アーム１２の開口１２ｂに、台座２０の突起２０ｆ〜２０ｈのいずれかを係合させるようにしたが、アーム１２側に突起（凸部）を形成し、台座側に設けた凹部に係合させるようにしても良い。更に、保持枠１０の本体１１に対して、レンズＬ１，Ｌ２を嵌合させた内筒を螺合させるようにして、レンズの光軸方向調整をより精度良く行うことも考えられる。台座２０は、カメラのシャッタ部材固定板と共用されても良く、カメラのボディと共用されても良い。
【００２３】
【発明の効果】
本発明によれば、取付・調整が容易であり、しかもレンズを光軸方向のみならず光軸に直交する方向にも精度良く位置決めできるレンズの保持装置を提供することができる。
【図面の簡単な説明】
【図１】本実施の形態にかかるレンズ保持装置の正面図である。
【図２】台座の下面図である。
【図３】レンズ保持装置を、カメラに設置した状態でレンズの光軸方向に切断した断面図である。
【図４】レンズのピントのバラツキ例を示す図である。
【符号の説明】
１０　保持枠
１２　アーム
１２ａ　固定用の開口
１２ｂ　係合用の開口
２０　台座
２０ｂ〜２０ｄ　ボス
２０ｆ〜２０ｈ　突起
Ｌ１，Ｌ２　レンズ
【図１】
2004077573.tif 000003
【図２】
2004077573.tif 000004
【図３】
2004077573.tif 000005
【図４】
2004077573.tif 000006